(57)【要約】【課題】プラズマディスプレイ装置において、パネルモジュールに対する電磁波対策を簡略化できるようにすることを目的とする。【解決手段】パネル１０およびこのパネル１０を前面に保持しかつ後面に前記パネル１０に信号を印加して表示を行う表示駆動回路ブロック１３を配置した金属製のシャーシ部材１１からなるパネルモジュールと、このパネルモジュールを収容しかつ前面カバー１４およびバックカバー１５からなる筐体とを有し、かつ前記表示駆動回路ブロック１３を覆うように前記シャーシ部材１１とバックカバー１５との間に金属製シールドカバー１７を配置するとともに、前記シャーシ部材１１と前面カバー１４との間に前記金属製シールドカバー１７に接続される金属製枠体１８を配置した。【選択図】図３
2005221604.tif 000002
【特許請求の範囲】
【請求項１】
一対の基板を基板間に放電空間が形成されるように対向配置するとともに基板に電極群を配置したパネルおよびこのパネルを前面に保持しかつ後面に前記パネルに信号を印加して表示を行う表示駆動回路ブロックを配置した金属製のシャーシ部材からなるパネルモジュールと、このパネルモジュールを収容しかつ前面カバーおよびバックカバーからなる筐体とを有し、かつ前記表示駆動回路ブロックを覆うように前記シャーシ部材とバックカバーとの間に金属製シールドカバーを配置するとともに、前記シャーシ部材と前面カバーとの間に前記金属製シールドカバーに接続される金属製枠体を配置したことを特徴とするプラズマディスプレイ装置。
【発明の詳細な説明】
【技術分野】
【０００１】
本発明は、大画面で、薄型、軽量のディスプレイ装置として知られているプラズマディスプレイ装置およびその製造方法に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
このプラズマディスプレイ装置は、一対の基板を基板間に放電空間が形成されるように対向配置するとともに基板に電極群を配置したパネルと、このパネルを前面に保持しかつ後面に前記パネルに信号を印加して表示を行う表示駆動回路ブロックを配置した金属製のシャーシ部材とによりパネルモジュールを構成し、そしてパネルモジュールから発生する電磁波を低減させるために、金属製の筐体内に収容していた（特許文献１参照）。
【特許文献１】特開２００２−３７２９１７号公報
【発明の開示】
【発明が解決しようとする課題】
【０００５】
ところで、この種のプラズマディスプレイ装置においては、パネルの製造に大規模な設備を準備する必要があることから、パネルを生産するメーカーよりパネルモジュールの状態で購入し、そのパネルモジュールにパネルモジュールに搭載されていない他の回路ブロックを組込むと共に、筐体内に入れてプラズマディスプレイ装置の完成品とすることが行われている。
【０００６】
この場合、完成品メーカーがパネルモジュールに対する電磁波対策のための設計をする必要があり、複数のパネルメーカーよりパネルモジュールを購入する場合は、そのパネルモジュールに応じて都度設計を変更する必要が生じていた。
【０００７】
本発明はこのような現状に鑑みなされたもので、パネルモジュールに対する電磁波対策を簡略化できるようにすることを目的とする。
【課題を解決するための手段】
【０００８】
上記目的を達成するために本発明のプラズマディスプレイ装置は、一対の基板を基板間に放電空間が形成されるように対向配置するとともに基板に電極群を配置したパネルおよびこのパネルを前面に保持しかつ後面に前記パネルに信号を印加して表示を行う表示駆動回路ブロックを配置した金属製のシャーシ部材からなるパネルモジュールと、このパネルモジュールを収容しかつ前面カバーおよびバックカバーからなる筐体とを有し、かつ前記表示駆動回路ブロックを覆うように前記シャーシ部材とバックカバーとの間に金属製シールドカバーを配置するとともに、前記シャーシ部材と前面カバーとの間に前記金属製シールドカバーに接続される金属製枠体を配置したものである。
【発明の効果】
【０００９】
この構成により、筐体により電磁波を低減させる対策を行うことなく、パネルモジュールの状態で電磁波対策を行えるため、パネルモジュールを購入して完成品とするメーカーにおいては、電磁波対策を簡略化した製品の設計が可能となる。
【発明を実施するための最良の形態】
【００１０】
以下、本発明の一実施の形態によるプラズマディスプレイ装置について、図１〜図３を用いて説明するが、本発明の実施の態様はこれに限定されるものではない。
【００１１】
まず、プラズマディスプレイ装置におけるプラズマディスプレイパネルの構造について図１を用いて説明する。
【００１２】
図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１３】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１４】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１５】
図２にこのプラズマディスプレイパネルの電極配列を示しており、図２に示すようにスキャン電極およびサステイン電極とアドレス電極とは、Ｍ行×Ｎ列のマトリックス構成であり、行方向にはＭ行のスキャン電極ＳＣＮ1〜ＳＣＮMおよびサステイン電極ＳＵＳ1〜ＳＵＳMが配列され、列方向にはＮ列のアドレス電極Ｄ1〜ＤNが配列されている。
【００１６】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１７】
図３に上記で説明した構造のパネルを組み込んだプラズマディスプレイ装置の全体構成の一例を示している。
【００１８】
図３において、前記パネル１０は、アルミニウム等からなる金属製のシャーシ部材１１の前面に熱伝導シート１２を介して接着することにより保持され、そしてシャーシ部材１１の後面側には、パネル１０に信号を印加して表示を行うための複数の表示駆動回路ブロック１３が取り付けられている。前記熱伝導シート１２は、パネル１０で発生した熱をシャーシ部材１１に効率よく伝え、放熱を行うためのものである。また、表示駆動回路ブロック１３はパネル１０の表示駆動とその制御を行うための電気回路を備えており、パネル１０の縁部に引き出された電極引出部に、シャーシ部材１１の四辺の縁部を越えて延びる複数のフレキシブル配線板（図示せず）によって電気的に接続され、これによりパネルモジュールが構成されている。
【００１９】
また、シャーシ部材１１の後面には、表示駆動回路ブロック１３を取り付けるためのボス部１１ａがダイカスト等による一体成型により突設されている。なお、このシャーシ部材１１は、アルミニウム平板に固定ピンを固定して構成してもよい。
【００２０】
パネルモジュールを収容する筐体は、樹脂製の前面カバー１４と樹脂製のバックカバー１５とから構成され、前面カバー１４の開口部、すなわちパネル１０の表示領域に対応する部分には光学フィルターおよびパネル１０の保護を兼ねたガラス等からなる前面フィルター１６が配置されている。また、この前面フィルター１６には電磁波の不要輻射を抑制するために、例えば銀蒸着が施されている。さらに、バックカバー１５には、パネル１０等で発生した熱を外部に放出するための複数の通気孔１５aが設けられている。
【００２１】
前記パネルモジュールのシャーシ部材１１とバックカバー１５との間には、前記表示駆動回路ブロック１３を覆うように金属製のシールドカバー１７が配置され、また前記シャーシ部材１１と前面カバー１４との間には、前記金属製のシールドカバー１７に接続される金属製の枠体１８が配置されている。このシールドカバー１７および枠体１８はシャーシ部材１１に金属製のねじなどにより取り付けることにより配置されている。
【００２２】
このように本実施の形態によれば、パネルモジュールが金属製のシールドカバー１７と枠体１８により電磁的にシールドされるため、筐体により電磁波を低減させる対策を行うことなく、パネルモジュールの状態で電磁波対策を行え、パネルモジュールを購入して完成品とするメーカーにおいては、電磁波対策を簡略化した製品の設計が可能となる。
【産業上の利用可能性】
【００２３】
以上の説明から明らかなように本発明によれば、プラズマディスプレイ装置の電磁波対策として有用な発明である。
【図面の簡単な説明】
【００２４】
【図１】本発明の一実施の形態によるプラズマディスプレイ装置のパネルの概略構成を示す斜視図
【図２】同プラズマディスプレイ装置のパネルの電極配列を示す説明図
【図３】同プラズマディスプレイ装置の全体構成を示す分解斜視図
【符号の説明】
【００２５】
１０  パネル
１１  シャーシ部材
１３  表示駆動回路ブロック
１４  前面カバー
１５  バックカバー
１７  シールドカバー
１８  枠体
【図１】
2005221604.tif 000003
【図２】
2005221604.tif 000004
【図３】
2005221604.tif 000005